(57)【要約】      （修正有）【課題】２台以上のカメラ付きの携帯電話機間で、一方から直接他方のカメラ付き携帯電話機を呼び出して画像を送り返す装置を提供する。【解決手段】２台以上のカメラ付きの携帯電話機間で、一方から直接他方のカメラ付き携帯電話機を呼び出して画像を送り返す装置に於いて、受け側の携帯電話機のキーボードを受信呼び出し信号をトリガーとして制御回路によってアクチュエータで携帯電話機のキーボードを押さえて駆動し、指の入力と同じ作用を行う。アクチュエータには形状記憶合金、電磁ソレノイド、モーター、等を使用して、携帯電話からの画像信号を一方の電話機に自動的に送信する。【選択図】図１
2005027266.tif 000002
【特許請求の範囲】
【請求項１】
一方のカメラ付きの携帯電話機で他方のカメラ付きの携帯電話機を直接呼び出し、その呼び出し信号で他方の携帯電話機に制御回路と回路結合し、電気信号の指示で携帯電話機に入力する方法、またはアクチュエータによって他方の携帯電話機のキーを動作させ、他方の携帯電話機に画像を取り込み、一方の携帯電話機に画像を送り返すシステム。
【請求項２】
アクチュエータは形状記憶合金、電磁ソレノイド、モーター、を利用する事によって駆動することを特徴とする請求項１のシステム。
【請求項３】
制御回路はカメラ付きの携帯電話機に付属させてあることを特徴とする請求項１のシステム。
【請求項４】
携帯電話機に回路結合で入力する方法は、電話機に付属しているコネクターに接続して、信号を入力する事を特徴とする請求項１のシステム。
【発明の詳細な説明】
【発明の詳細な説明】
【技術分野】
【０００１】  携帯電話機のカメラを通して遠隔地の作業現場の概要、独り暮らしの家に残してきたペットの様子、年寄りや病人の様子、その他の画像を見る。監視カメラの分野である。
【背景技術】
【０００２】  従来、遠隔地の作業現場の状況や現金支払機の付近の監視等に画像で遠方の状況を知る方法としては電話回線等を利用した、インターネットを介した伝送方式としてＡＤＳＬ（Ａｓｙｍｅｔｒｉｃａｌ  Ｄｉｇｉｔａｌ  Ｓｕｂｓｃｒｉｂｅｒ  Ｌｉｎｅ）を利用した監視システムが有ったが、送受信ともパーソナルコンピュータを介するため装置が大がかりになっていた。
【発明が解決しようとしている課題】
【０００３】  遠隔地の作業現揚の概要、独り暮らしの家に残してきたペットの様子、年寄りや病人の様子等生活に密着した情報は大まかでも良いから携帯電話機を利用して入手できないかという要望があった。しかし携帯電話機同士で直接に呼び出して画像を送るには、パソコンのＡＤＳＬ等の通信手段を介さずに実現する方法や装置は無かった。
【０００４】  携帯電話機の操作の電気信号のアルゴリズムは各社異なっており簡単な追加工事で携帯電話機同士で直接に呼び出して画像を送るシステムに改造することは困難であった。携帯電話機のキーを直接アクチュエータで機械的に駆動することは簡単な操作で可能である。
【０００５】  一方のカメラ付きの携帯電話機で他方のカメラ付きの携帯電話機を呼び出し、その呼び出し信号で他方の携帯電話機に必要とする画像を取り込むとともに他方の携帯電話機用の制御回路に信号を送り、制御回路からの指示で動作するアクチュエータによって他方の携帯電話機のキーを動作させ、一方の携帯電話機に画像を送り返すシステムにより課題を解決する。
【０００７】  前記のアクチュエータは形状記憶合金、電磁ソレノイド、モーター、を利用する事によって駆動することにより課題を解決する。
【０００８】  前記の制御回路はカメラ付きの携帯電話機に付属させてあることにより課題を解決する。
【発明を実施するための最良の形態】
【０００９】  発明の実施の一形態を図を用いて説明する。１はカメラ付きの携帯電話機１であり、説明上手元にあるものとする。２はカメラ付きの携帯電話機２であり、説明上遠方にあるものとする。３は制御回路であり、携帯電話機２に付属している。４は制御回路の指示によりキーボードを押して動作するアクチュエーターである。６は携帯電話機に設けられたアンテナ１０、１１に付属されるＬＥＤ等の発信手段である。６、７は携帯電話機の操作に用いられるキーボードである。８、９は携帯電話機の表示部であり、先方の状況もここに表示される。１２はアンテナ１０、１１に付属されるＬＥＤ等の発信手段からの信号を受けるために制御部に設けられた受信部であり、例えば受光素子が用いられる。又、ＬＥＤの発信手段に代わって他には、振動信号や、高周波信号や、直接の電気信号を用いてもかまわない。【００１０】  先ず、外出先等から１の携帯電話機のキーボードを操作して、例えば家に置いてある２の携帯電話機２を呼び出す。２の携帯電話機２は呼び出しを受けるとアンテナ１１が受信したときに同期して動作するＬＥＤ５を点滅等の動作させて所定の信号を発光発信させる。この信号は携帯電話２に付属している制御回路３の受光部１２が受信する。【００１１】  受光部が受信すると制御回路が動作を開始し、必要とする部分の撮影することと、その画像を携帯電話機１に送信するようにアクチュエーター４を用いて携帯電話機２に指示を出す。アクチュエーターは例えば電磁ソレノイドであり、制御回路がアクチュエーターに携帯電話機のカメラ機能に撮影を指示するのには所定の電磁ソレノイドをＯＮさせることにより携帯電話機のキーボードの決められたキーを押すことによって実現できる。【００１２】  次に制御回路からの指示で携帯電話機の所定のキーを電磁ソレノイドに押させることにより画像を携帯電話機１に送信する。【００１３】  携帯電話１は携帯電話機２から送られてきた画像を見ることによって、遠方の状況を知ることができる。【００１４】  アクチュエーターが電磁ソレノイドの例を上げたが、モーターとカムを用いてキーを押すようにしてもよい。【００１５】  アクチュエーターは形状記憶合金を用いてもよい。この場合は例えば通常はキーを押さない状態に設置しておき、信号を受信することによって、形状記憶合金の抵抗器に電流を印加し発熱させ合金の形状を記憶状態（縮小）に戻すことによってキーを押させる方法である。具体的には、図２のスイッチ１６を入れて通電すると１３，１４の形状記憶線が加熱されて縮み、ピストン１５とピストンロッド２０を押し下げて携帯電話機のキーを押さえる動作を行う。通電を切ると室温で冷却されて、再び伸びてピストンロッドは元の状態に戻る【００１６】  アクチュエーターについては上記以外でも制御回路の指示によりキーを押すことができるものならば何を用いてもかまわない。【００１７】  例えば動き回るペットの監視に使う場合のように携帯電話機２は決められた部分のみを撮影するのでは、求められる情報が得られないと予想される場合は例えばモーターを用いて携帯電話機の向きを動かして複数の撮影を行っても良い。【００１８】  携帯電話機の動作は上記では撮影後に送信としているが、場���によっては送信指示を出した後に撮影をさせてもかまわない。携帯電話機の操作の電気信号のアルゴリズムは各社異なっており簡単な追加工事で携帯電話機同士で直接に呼び出して画像を送るシステムに改造することは困難であった
【発明の効果】
【００１９】  手元にある表示器付きの携帯電話機のカメラで遠方の表示器付きの携帯電話機に送信し、その信号を受信した遠方の携帯電話機に画像を取り込ませ、その画像を送り返させることで遠方の状況を監視できるシステムにより、ＡＤＳＬ等の通信手段や大型の装置を使っての監視を不要にし、いつでもどこでも安価に手軽に携帯電話機で遠隔地の概要を知ることが出来る。
【００２０】  携帯電話機の操作の電気信号のアルゴリズムは各社異なっており簡単な追加工事で携帯電話機同士で直接に呼び出して画像を送るシステムに改造することは困難であったがアクチュエーターの追加のみでシステムが改造できるので容易に用いることができる。
【図面の簡単な説明】
【図１】は本発明の実施形態を示す図である。
【図２】は形状記憶合金を使用したソレノイドを示す。
【符号の説明】
図１の１、２は本発明に用いるＣＣＤカメラ付きの携帯電話機３は制御回路４はアクチュエーター５はＬＥＤ等の発光装置６、７はＣＣＤカメラ付きの携帯電話機のキーボード８，９はＣＣＤカメラ付きの携帯電話機のキーボードの操作部、表示部１０，１１はＣＣＤカメラ付きの携帯電話機のアンテナ１２は受光部図２は形状記憶合金を使ったソレノイド１３，１４は形状記憶合金線、１５はピストン１６はケース１７はスプリング１８は電池１９はスイッチ２０はピストンロッド
【要約】
【課題】
従来、直接携帯電話機同士で、先方を呼び出して遠方の画像を送らせる遠隔画像監視システム装置は無かった。
【解決手段】
手元にある表示器付きの携帯電話機のカメラで遠方の表示器付きの携帯電話機に送信し、その信号を受信した遠方の携帯電話機に画像を取り込ませ、その画像を送り返させることで遠方の状況を監視できるシステムにより、ＡＤＳＬ等の通信手段や大型の装置を使っての監視を不要にする。
【図１】
2005027266.tif 000003
【図２】
2005027266.tif 000004